(57)【要約】【課題】屋根材の葺き始め位置を任意に変更できるようにする。【解決手段】軒先水切部材６の上方側に屋根材４が葺かれる屋根構造において、屋根材４の軒先側端部を浮き上がらないように係止する係止金具７、８が、軒先水切部材６とは別体に設けられて、軒先水切部材６上に設置可能とされ、軒先水切部材６に設置した係止金具７、８が釘等の固定手段９により軒先水切部材６に対して移動不能となるように下地材１に固定可能とされ、係止金具７、８を軒先水切部材６に設置して下地材１に固定する際に、前記屋根材４の軒先側端部の係止位置を調整可能となるように、軒先水切部材６における係止金具７、８を設置するための設置部１７ａが屋根流れ方向に連続した範囲Ｌ１とされている。【選択図】      図１
2005023600.tif 000002
【特許請求の範囲】
【請求項１】
軒先水切部材（６）の上方側に屋根材（４）が葺かれる屋根構造において、
前記屋根材（４）の軒先側端部を浮き上がらないように係止する係止金具（７、８）が、軒先水切部材（６）とは別体に設けられて、軒先水切部材（６）上に設置可能とされ、軒先水切部材（６）に設置した係止金具（７、８）が釘等の固定手段（９）により軒先水切部材（６）に対して移動不能となるように下地材（１）に固定可能とされ、係止金具（７、８）を軒先水切部材（６）に設置して下地材（１）に固定する際に、前記屋根材（４）の軒先側端部の係止位置を調整可能となるように、軒先水切部材（６）における係止金具（７、８）を設置するための設置部（１７ａ）が屋根流れ方向に連続した範囲（Ｌ１）とされていることを特徴とする屋根構造。
【請求項２】
前記軒先水切部材（６）は、軒先部の上面側を覆う覆い部（１７）を有し、この覆い部（１７）に前記設置部（１７ａ）が設けられていることを特徴とする請求項１に記載の屋根構造。
【請求項３】
前記設置部（１７ａ）の屋根流れ方向に連続した範囲（Ｌ１）は、前記屋根部材（４）の屋根流れ方向の長さ（Ｌ）の半分よりも長く設定されていることを特徴とする請求項１又は２に記載の屋根構造。
【請求項４】
前記係止金具（７、８）は、軒先水切り部材の覆い部（１７）上に設置される取付部（２０、２５）と、取付部（２０、２５）から上方に浮き上がると共に屋根流れ方向の軒側に突出した係止部（２１、２６）と、取付部（２０、２５）と係止部（２１、２６）とを連結する連結部（２２、２７）とを有し、取付部（２０、２５）が軒先水切部材（６）の覆い部（１７）に設置されて、固定手段（９）により軒先水切部材（６）に対して移動不能となるように下地材（１）に固定されて、係止部（２１，２６）が屋根材（４）の軒先側端部を浮き上がらないように係止していることを特徴とする請求項１〜３のいずれかに記載の屋根構造。
【請求項５】
前記係止金具（７）の取付部（２０）と、係止金具（８）の取付部（２５）とは重合し、前記係止金具（７）の取付部（２１）と、係止金具（８）の取付部（２５）とは重合し、前記係止金具（７）の連結部（２２）と、係止金具（８）の連結部（２７）とは重合していることを特徴とする請求項４に記載の屋根構造。
【請求項６】
屋根材（４）の軒先側端部に荷重がかかったときに、屋根材（４）の軒先側を支持する補助脚部（２３）が係止金具（７）に設けられていることを特徴とする請求項１〜５のいずれかに記載の屋根構造。
【請求項７】
前記補助脚部（２３）は、連結部（２２）に対し軒側に二股状に分かれるように、係止部（２１）から下方突出されていることを特徴とする請求項６に記載の屋根構造。
【発明の詳細な説明】
【０００１】
【発明の属する技術分野】
本発明は、屋根構造に関するものである。
【０００２】
【従来の技術】
従来より、屋根の軒先側に屋根を葺いた軒先側の屋根構造として、例えば、図１０に示すような屋根構造がある。
この屋根構造は、予め葺かれている軒先屋根材５０の軒先側に、軒先水切部５１と係止部５２とを有する軒先唐草５３を釘５４等により固定し、この軒先唐草５３の上方に新しい屋根材５５を葺いたものとなっている。
新しい屋根材５５の軒先端部５６は、軒先唐草５３の係止部５２と係止することによって、上方に浮かないように支持されており、軒先唐草５３の係止部５２と軒先水切部５１とは一体化されている（例えば、特許文献１）。
【０００３】
【特許文献１】
特開平７−３１７２５５号公報
【０００４】
【発明が解決しようとする課題】
しかしながら、従来の屋根構造では、軒先唐草５３の係止部５２に新しい屋根材５５の軒先端部５６を係止するようにしていたので、新しい屋根材５５の葺き始め位置が固定となり、新しい屋根材５５の葺き始め位置の調整ができないという問題があった。特に、図１１に示すように、平面視で屋根流れ方向の屋根幅が途中で幅狭となる、ずがり５７を有する屋根に、屋根流れ方向の長さが同じとなる屋根材５５を葺く場合、屋根の屋根流れ方向と直交する方向の目地Ｍを揃えることが困難であるという問題があった。
【０００５】
また、屋根の屋根流れ方向と直交する方向の目地Ｍを揃える場合、屋根流れ方向の長さが異なる少なくとも２種類の屋根材を用意して屋根の目地Ｍが揃うように屋根材を配置しなければならず、屋根全体のコストも高価になるとう問題があった。
そこで、本発明は、上記問題点に鑑み、屋根材の葺き始め位置を任意に変更でき、かつ安価な屋根構造を提供することを目的とする。
【０００６】
【課題を解決するための手段】
この技術的課題を解決するための本発明の技術的手段は、軒先水切部材の上方側に屋根材が葺かれる屋根構造において、前記屋根材の軒先側端部を浮き上がらないように係止する係止金具が、軒先水切部材とは別体に設けられて、軒先水切部材上に設置可能とされ、軒先水切部材に設置した係止金具が釘等の固定手段により軒先水切部材に対して移動不能となるように下地材に固定可能とされ、係止金具を軒先水切部材に設置して下地材に固定する際に、前記屋根材の軒先側端部の係止位置を調整可能となるように、軒先水切部材における係止金具を設置するための設置部が屋根流れ方向に連続した範囲とされている点にある。
【０００７】
また、他の本発明の技術的手段は、前記軒先水切部材は、軒先部の上面側を覆う覆い部を有し、この覆い部に前記設置部が設けられている点にある。
また、本発明の技術的手段は、前記設置部の屋根流れ方向に連続した範囲は、前記屋根部材の屋根流れ方向の長さの半分よりも長く設定されている点にある。
また、他の本発明の技術的手段は、前記係止金具は、軒先水切り部材の覆い部上に設置される取付部と、取付部から上方に浮き上がると共に屋根流れ方向の軒側に突出した係止部と、取付部と係止部とを連結する連結部とを有し、取付部が軒先水切部材の覆い部に設置されて、固定手段により軒先水切部材に対して移動不能となるように下地材に固定されて、係止部が屋根材の軒先側端部を浮き上がらないように係止している点にある。
【０００８】
また、他の本発明の技術的手段は、屋根材の軒先側端部に荷重がかかったときに、屋根材の軒先側を支持する補助脚部が係止金具に設けられている点にある。また、他の本発明の技術的手段は、前記補助脚部は、連結部に対し軒側に二股状に分かれるように、係止部から下方突出されている点にある。
また、他の本発明の技術的手段は、前記係止金具の取付部と、係止金具の取付部とは重合し、前記係止金具の取付部と、係止金具の取付部とは重合し、前記係止金具の連結部と、係止金具の連結部とは重合している点にある。
【０００９】
【発明の実施の形態】
以下、本発明の実施の形態を図面に基づいて説明する。
図１は、本発明に係る第１の実施の形態の屋根構造を示しており、特に、既設屋根材上に新しい屋根材を葺いた場合の屋根構造を示している。
図１に示すように、１は野地板（下地材）で、下面側において垂木２により支持されており、野地板１上面にはアスファルトルーフィング等からなる防水シート（図示略）が全面に敷設されていて、防水シート上に、ほぼ平板系の旧（既設）の屋根材３（旧屋根材）が葺かれている。旧屋根材３の上方には、新しい屋根材４（新屋根材）が屋根の軒先から棟先にかけて葺き上げられている。野地板１の軒先側端部には、野地板１の軒先側端部を覆う旧水切部材５が軒先に沿って設けられている。軒先側に位置する旧屋根材３の軒先部分には、新しい軒先水切部材６が設けられ、この軒先水切部材６の上部に軒先水切部材６とは別体に形成された２つの係止金具７、８が設置されて、釘等の固定手段９によって軒先水切部材６に対して屋根流れ方向に移動不能となるように野地板１に固定されている。
旧屋根材３及び係止金具７，８と、新屋根材４との間にルーフィング等からなる防水シート（図示略）が敷設されている。
【００１０】
軒先側に位置する新屋根材４ａの軒先端部は、軒先水切部材６の上方に設けられた係止金具７、８に係止するようになっている。
したがって、軒先水切部材６に対する係止金具７、８の屋根流れ方向の設置位置（載置位置）が決まることによって、新屋根材４ａの屋根に対する葺き始め位置が設定されるようになっている。
図１、４に示すように、屋根に葺かれる新屋根材４は、それぞれ略同じ大きさのものであり、新屋根材４の屋根流れ方向の長さＬは、所定の長さに設定されている。この新屋根材４は、平面視で長方形状の板本体１１と、この板本体１１の裏面側に貼り付けられたバックアップ部材１２とを有している。このバックアップ部材１２は、発泡樹脂等により形成されており、新屋根材４の断熱を主としてその他、補強、保形（角度設定）などをするためのものである。
【００１１】
新屋根材４の板本体１１の長辺端部の一方（軒側）は、裏面側に屈曲していると共に、さらに屈曲端部から棟側に屈曲しており、裏面側に屈曲した部分は軒側屈曲部１３とされ、この軒側屈曲部１３の端部から棟側に屈曲した部分は軒側係止部１４とされている。新屋根材４の板本体１１の長辺端部の他方（棟側）は、中途部から表面側に折り返されて表面に突出しており、この突出部分は棟側係止部１５とされ、突出部分の端部から棟側に延びる部分は取付部１６とされている。
【００１２】
図１、２に示すように、旧屋根材３の軒先部分に設けられる軒先水切部材６は、覆い部１７と屈曲部１８とを有している。この覆い部１７は、旧屋根材３の表面を覆うように旧屋根材３の上方に位置しており、屋根流れ方向に軒先から棟側に所定の長さで延びる板状に形成されている。また、軒先水切部材６の棟側端部は新屋根材４側に折り返されている。軒先水切部材６の屈曲部１８は、旧屋根材３の軒先側面を覆うように配置しており、覆い部１７の軒先端部から野地板１側に屈曲している。
【００１３】
覆い部１７の屋根流れ方向の範囲Ｌ１は、係止金具７、８を設置するための設置部１７ａとされている。図１に示すように、この設置部１７ａの屋根流れ方向の範囲Ｌ１は、例えば、係止金具７、８を軒先水切部材６に設置して野地板１に取り付けたとき、後述する係止金具７の補助脚部２３が覆い部１７の軒先端部から突出しない位置から後述する係止金具７、８の取付部２０、２５が覆い部１７に重合可能な位置までの間とされ、この設置部１７ａの範囲Ｌ１であれば係止金具７、８が屋根流れ方向にどの位置でも軒先水切部材６に設置できるようになっている。また、設置部１７ａの屋根流れ方向の長さＬ１（範囲）は、新屋根材４の屋根流れ方向の長さＬの半分よりも長く設定されている。
【００１４】
係止金具７、８は、軒先側の新屋根材４ａの軒先側端部を浮き上がらないようにするためのもので、釘等の固定手段９により軒先水切部材６に設置可能となっている。
図２に示すように、軒先水切部材６に設置する２つの係止金具７、８のうち一つの係止金具７は、平板状の板を屈曲して形成したものであり、軒先水切部材６の覆い部１７上に設置される取付部２０と、取付部２０から上方に浮き上がると共に屋根流れ方向の軒側に突出した係止部２１と、取付部２０と係止部２１とを連結する連結部２２とを有している。
【００１５】
この係止金具７の係止部２１は、連結部２２から屋根流れ方向の軒側に突出して中途部から折り返されており、この折り返された係止部２１の棟側端部には補助脚部２３が設けられている。この補助脚部２３は、係止部２１の棟側端部から野地板１側に突出して軒先水切部材６の覆い部１７の近傍まで延びる板状のもので、覆い部１７の近傍で新屋根材４側に折り返されている。また、補助脚部２３の折り返された折り返し部分は円弧形状となっており、補助脚部２３は、連結部２２に対して２股状に分かれる構成となっている。
【００１６】
軒先水切部材６に設置される２つの係止金具７、８のうちもう１つの係止金具８は、平板状の板を屈曲して形成したもので、この係止金具８は上記の係止金具７に比べ板の肉厚がやや厚くなっている。この係止金具８は、軒先水切部材６の覆い部１７上に設置される取付部２５と、取付部２５から上方に浮き上がると共に屋根流れ方向の軒側に突出する係止部２６と、取付部２５と係止部２６とを連結する連結部２７とを有している。
係止金具８は、上記係止金具７と重合可能に形成されており、係止金具７と軒先水切部材６の覆い部１７との間に係止金具８の取付部２５を配置し、係止金具７の連結部２２に沿って係止金具８の連結部２７を配置し、係止金具７の折り返し係止部２１に係止金具８の係止部２６を配置することによって、係止金具７と係止金具８とを重合させることが可能となっている。
【００１７】
軒先側の新屋根材４ａを旧屋根材３の上に葺くには、まず、軒先水切部材６の覆い部１７を軒側の旧屋根材３の表面に沿わせると共に、軒先水切部材６の屈曲部１８で軒側の旧屋根材３の軒先側面を覆うように軒先水切部材６を配置する。そして、覆い部１７の設置部１７ａの上に上記のように重合させた係止金具７、８の取付部２０、２５を設置し、釘等の固定手段９により係止金具７、８を野地板１に固定する。次に、係止金具７、８の係止部２１、２６に新屋根材４ａの軒先係止部１４を係止して、図３に示すように、新屋根材４ａの取付部１６に釘（固定手段９）をうち新屋根材４ａの棟側端部を屋根に固定することによって、軒先側の新屋根材４ａを葺くことができる。
【００１８】
そして、軒先側の新屋根材４ａに新屋根材４ｂを接続するには、この軒先側の新屋根材４ａの棟側の棟側係止部１５に、新屋根材４ｂの軒先係止部１４を係止することによって、新屋根材４同士を屋根流れ方向に接続することができるようになる。
以上のことにより、新屋根材４ａの軒先側端部を、係止金具７、８により浮き上がらないように支持することができる。また、係止金具７、８を軒先水切部材６に設置して下地材１に固定する際には、軒先水切部材６の設置部１７ａの範囲Ｌ１内において、係止金具７、８を屋根流れ方向にどの位置でも軒先水切部材６に対して設置することができるので、軒先水切部材６に対する係止金具７、８の屋根流れ方向の設置位置を任意に調整することができる。
【００１９】
即ち、新屋根材４ａの軒先側端部と係止金具７、８との係止位置を調整可能にすることができ、結果的に新屋根材４ａの葺き始め位置を任意に設定することが可能となる。
例えば、図５に示すように、平面視で屋根流れ方向の屋根幅が途中で幅狭となる、ずがり３０を有する屋根に、屋根流れ方向の長さが同じとなる新屋根材４を葺く場合、幅狭い側に位置する新屋根材４ｃの葺き始め位置を屋根流れ方向に位置調整するか、又は幅広側に位置する新屋根材４ｄの葺き始め位置を屋根流れ方向に位置調整することによって、新屋根材４の屋根の屋根流れ方向と直交する方向の目地Ｍを揃えることができる。
【００２０】
したがって、従来のように、屋根流れ方向と直交する方向の屋根の目地Ｍを揃えるために、大きさの異なる少なくとも２種類の屋根材を用意する必要がなく、屋根を安価に構成することが可能となる。
また、係止金具７と係止金具８とが重合した２重構造となっているので、新屋根材４ａと係止金具７、８との係止が強化され、特に、台風等の強い風が新屋根材４ａに吹き上げた場合でも、新屋根材４ａの軒先端部を浮き上がることがないように支持することができる。
【００２１】
また、係止金具７に、連結部２２に対して２股状に分かれる補助脚部２３が設けられているので、新屋根材４ａの軒先側端部に荷重がかかっても、補助脚部２３が新屋根材４ａの軒先側を支持するので、連結部２２だけに集中してその荷重がかかることがなく、荷重による連結部２２の変形を防止することができる。
なお、上記の実施の形態では、重合した２つの係止金具７、８により、軒先側の新屋根材４ａを浮き上がらないように支持していたが、図６に示すように、１つの係止金具７により新屋根材４ａを浮き上がらないようにしてもよい。
【００２２】
次に、本発明に係る第２の実施の形態の屋根構造について説明する。
図７、８に示すように、係止金具８を軒先水切部材６に設置して、その係止金具８により軒先側の新屋根材４ａを浮き上がらないようにしたものである。係止金具８、新屋根材４ａ等の構成は、上記第１の実施の形態と同様であり、軒先水切部材６の設置部１７ａの屋根流れ方向の範囲Ｌ１が上記第１の実施の形態とは異なっている。
軒先水切部材６の設置部１７ａの屋根流れ方向の範囲Ｌ１は、係止金具８を軒先水切部材６に設置したとき、係止金具８の取付部２５が覆い部１７の軒先端部から突出しない位置から係止金具８の取付部２５が覆い部１７に重合可能な位置までの間とされ、この固定部１７ａの範囲Ｌ１であれば係止金具８が屋根流れ方向にどの位置でも軒先水切部材６に取り付けることができるようになっている。
【００２３】
本発明は、上記記載の実施の形態に限定されることなく適宜に設計変更が可能である。上記実施の形態では、既設屋根材３上に新屋根材４を葺くという例を示したが、これに代え、新築（新規）に新屋根材４を葺く場合、即ち、野地板１上に軒先水切部材６を設けてその上方に係止金具７、８を設置し、この係止金具７、８と新屋根材４とを係止するようにしてもよい。この場合は、図９に示すようになる。
また、係止部材７、８を軒先水切部材６の覆う部１７に対して設置部１７ａの屋根流れ方向の範囲Ｌ１内で屋根流れ方向に移動可能（スライド可能）となるように、係止部材７、８と軒先水切部材６とにスライド機構を設けてもよい。
【００２４】
【発明の効果】
本発明によれば、軒先水切部材に対する係止金具の屋根流れ方向の設置位置を任意に調整することができるので、屋根材の葺き始め位置を任意に変更することができる。
【図面の簡単な説明】
【図１】本発明の第１の実施の形態を示す屋根構造の側面図である。
【図２】図１の範囲Ａの拡大図である。
【図３】図１の範囲Ｂの拡大図である。
【図４】同新屋根材の斜視図である。
【図５】同屋根の葺き始め位置調整の説明図である。
【図６】同係止部材を１つにした場合の説明図である。
【図７】本発明の第２の実施の形態を示す屋根構造の側面図である。
【図８】図７の範囲Ｃの拡大図である。
【図９】他の実施の形態の側面図である。
【図１０】従来の屋根構造の側面図である。
【図１１】従来の屋根構造の平面図である。
【符号の説明】
４      新屋根材
６      軒先水切部材
７      係止金具
８      係止金具
９      固定手段
１７    覆い部
１７ａ  設置部
２０    取付部
２１    係止部
２２    連結部
２３    補助脚部
２５    取付部
２６    係止部
２７    連結部
Ｌ      新屋根材の屋根流れ方向の長さ
Ｌ１    設置部の屋根流れ方向に連続した範囲
【図１】
2005023600.tif 000003
【図２】
2005023600.tif 000004
【図３】
2005023600.tif 000005
【図４】
2005023600.tif 000006
【図５】
2005023600.tif 000007
【図６】
2005023600.tif 000008
【図７】
2005023600.tif 000009
【図８】
2005023600.tif 000010
【図９】
2005023600.tif 000011
【図１０】
2005023600.tif 000012
【図１１】
2005023600.tif 000013